(57)【要約】      （修正有）【課題】吸盤により対象物に取りつけるワイヤーなどの線状体を静止状態に維持した状態で吸着取り付けすることが可能な吸盤装置を提供する。【解決手段】吸盤装置１００は、対象物に対して取り外し可能に吸着させることができる吸盤本体１１０と、吸盤本体と一体的に形成された線状体取り付け部１２０と、からなる。線状体取り付け部には線状体を嵌め込むことが可能なライン状の溝１４０が形成されている。また、溝に嵌め込まれた線状体が溝から外れることを防止するストーパーを備える。【選択図】図１
0003185107.tif 000002
【実用新案登録請求の範囲】
【請求項１】
対象物に対して取り外し可能に吸着させることができる吸盤本体と、
前記吸盤本体と一体的に形成された線状体取り付け部と、
からなる吸盤装置であって、
前記線状体取り付け部には線状体を嵌め込むことが可能なライン状の溝が形成されていることを特徴とする吸盤装置。
【請求項２】
前記溝に嵌め込まれた前記線状体が前記溝から外れることを防止するストッパーを備えることを特徴とする請求項１に記載の吸盤装置。
【請求項３】
前記吸盤本体は、取付本体と、前記取付本体の内部を前記取付本体の軸心方向にスライド可能な押しボタンと、を備え、前記押しボタンを前記取付本体の内部に押し込むことにより、前記吸盤本体は対象物に吸着するものであることを特徴とする請求項１または２に記載の吸盤装置。
【請求項４】
前記押しボタンの外周には目印が設けられており、前記目印は、前記押しボタンを前記取付本体の内部に押し込み、前記吸盤本体を前記対象物に吸着させたときには前記取付本体の内部に隠れ、前記吸盤本体を前記対象物から取り外したときには前記取付本体から現れるものであることを特徴とする請求項３に記載の吸盤装置。
【請求項５】
対象物に対して取り外し可能に吸着させることができる吸盤本体に対して取り外し可能に取り付けることができる線状体取り付け具であって、
前記線状体取り付け具には線状体を嵌め込むことが可能なライン状の溝が形成されていることを特徴とする線状体取り付け具。
【請求項６】
前記溝に嵌め込まれた前記線状体が前記溝から外れることを防止するストッパーを備えることを特徴とする請求項５に記載の線状体取り付け具。
【考案の詳細な説明】
【技術分野】
【０００１】
本考案は吸盤装置に関する。
【背景技術】
【０００２】
吸盤装置の一例として特開２００６−６１６５２号公報に記載されたものがある。
【０００３】
図５は同公報に記載された吸盤装置１の斜視図である。
【０００４】
吸盤装置１は、取付本体２と、取付本体２の内部を取付本体２の軸心方向にスライド可能な押しボタン３と、取付本体２と一体に形成され、貫通孔２４が形成されている取付片２３と、取付本体２の底面に固定された周縁部１２と、周縁部１２から外側に突出するリップ１５と、から構成されている。
【０００５】
図６（Ａ）は非吸着状態における吸盤装置１の断面図、図６（Ｂ）は吸着状態における吸盤装置１の断面図である。
【０００６】
吸盤装置１は次のようにして使用される。
【０００７】
先ず、吸盤装置１を壁面Ｗ（図６（Ｂ）参照）の上に置く。
【０００８】
次いで、押しボタン３を下方に、すなわち、壁面Ｗに向って取付本体２の内部に押し込む。これによって、吸盤装置１と壁面Ｗとの間は気密状態となり、吸盤装置１は壁面Ｗに吸着された状態になり、壁面Ｗに対して固定される。
【０００９】
吸盤装置１を壁面Ｗから取り外す場合には、リップ１５を持って、リップ１５を上方に引き上げる。これにより、吸盤装置１と壁面Ｗとの間に空気が入り込み、吸盤装置１と壁面Ｗとの間の気密状態が解除され、吸盤装置１を壁面Ｗから取り外すことができる。
【００１０】
吸盤装置１を壁面Ｗから取り外すと、取付本体２の内部に押し込まれていた押しボタン３は取付本体２から外方に伸長し、元の位置（図５に示す位置）に復帰する。
【００１１】
図７は吸盤装置１の使用例を示す斜視図である。
【００１２】
例えば、吸盤装置１を垂直壁に吸着させ、ヒンジ５０を介して取付片２３の貫通孔２４にリング５１を取り付けることにより、リング５１をタオル掛け５として用いることができる。
【先行技術文献】
【特許文献】
【００１３】
【特許文献１】特開２００６−６１６５２号公報
【考案の開示】
【考案が解決しようとする課題】
【００１４】
従来の吸盤装置１においては、吸盤装置１に別部品（例えば、リング５１）を取り付けるための手段としては、取付片２３が設けられているだけである。このため、図５に示したように、取付片２３の貫通孔２４にリング５１を取り付けた場合、リング５１は貫通孔２４を中心として揺れることは避けられない。例えば、車内において、吸盤装置１にリング５１を取り付けた場合、走行中においては、リング５１の揺れを防止することは極めて困難である。
【００１５】
しかしながら、状況によっては、リング５１の揺れを防止し、リング５１を吸盤装置１に対して相対的に静止させておく必要がある場合があるが、従来の吸盤装置１では不可能であった。
【００１６】
本考案はこのような従来の吸盤装置における問題点に鑑みてなされたものであり、別部品、特に、ワイヤーなどの線状体を静止状態に維持した状態で取り付けることが可能な吸盤装置を提供することを目的とする。
【課題を解決するための手段】
【００１７】
上記の目的を達成するため、本考案は、対象物に対して取り外し可能に吸着させることができる吸盤本体と、前記吸盤本体と一体的に形成された線状体取り付け部と、からなる吸盤装置であって、前記線状体取り付け部には線状体を嵌め込むことが可能なライン状の溝が形成されていることを特徴とする吸盤装置を提供する。
【００１８】
本考案に係る吸盤装置は、前記溝に嵌め込まれた前記線状体が前記溝から外れることを防止するストッパーを備えることが好ましい。
【００１９】
前記吸盤本体は、取付本体と、前記取付本体の内部を前記取付本体の軸心方向にスライド可能な押しボタンと、を備え、前記押しボタンを前記取付本体の内部に押し込むことにより、前記吸盤本体は対象物に吸着するものであることが好ましい。
【００２０】
前記押しボタンの外周には目印が設けられており、前記目印は、前記押しボタンを前記取付本体の内部に押し込み、前記吸盤本体を前記対象物に吸着させたときには前記取付本体の内部に隠れ、前記吸盤本体を前記対象物から取り外したときには前記取付本体から現れるものであることが好ましい。
【００２１】
本考案は、さらに、対象物に対して取り外し可能に吸着させることができる吸盤本体に対して取り外し可能に取り付けることができる線状体取り付け具であって、前記線状体取り付け具には線状体を嵌め込むことが可能なライン状の溝が形成されていることを特徴とする線状体取り付け具を提供する。
【００２２】
本考案に係る線状体取り付け具は、前記溝に嵌め込まれた前記線状体が前記溝から外れることを防止するストッパーを備えることが好ましい。
【考案の効果】
【００２３】
本考案に係る吸盤装置においては、ワイヤーその他の線状体は溝に嵌め込まれる。溝はライン状に形成されているため、ある程度の長さを有している。このため、溝に嵌め込まれたワイヤーは溝の内部に固定れる。
【００２４】
このように、本考案に係る吸盤装置によれば、ワイヤーその他の線状体を静止状態に維持した状態で取り付けることが可能である。
【図面の簡単な説明】
【００２５】
【図１】本考案の第一の実施形態に係る吸盤装置の斜視図である。
【図２】溝にワイヤーを嵌め込んだ状態を示す縦断面図である。
【図３】本考案の第二の実施形態に係る吸盤装置の部分的な斜視図である。
【図４】本考案の第三の実施形態に係る線状体取り付け具の斜視図である。
【図５】従来の吸盤装置の斜視図である。
【図６】図６（Ａ）は非吸着状態における図５に示した従来の吸盤装置の断面図、図６（Ｂ）は吸着状態における従来の吸盤装置の断面図である。
【図７】図５に示した従来の吸盤装置の使用例を示す斜視図である。
【考案を実施するための形態】
【００２６】
（第一の実施形態）
図１は本考案の第一の実施形態に係る吸盤装置１００の斜視図である。
【００２７】
本実施形態に係る吸盤装置１００は、吸盤本体１１０と、吸盤本体１１０と一体的に形成された線状体取り付け部１２０と、を備えている。
【００２８】
吸盤本体１１０は、図５に示した吸盤装置１と同様に、対象物に対して取り外し可能に吸着させることができる機能を有している。
【００２９】
押しボタン３の外周面には目印としての帯状ライン１０５（図１では斜線の領域）が設けられている。帯状ライン１０５は押しボタン３の表面の色とは異なる色に着色されている。帯状ライン１０５は、押しボタン３を取付本体２の内部に押し込み、吸盤装置１００を対象物に吸着させたときには取付本体２の内部に隠れて見えなくなるが、吸盤装置１００を対象物から取り外したときには取付本体２から再び現れ、見えるようになる。このため、吸盤装置１００が対象物に吸着しているか否かは、帯状ライン１０５の存在を確認することにより、容易に知ることができる。
【００３０】
線状体取り付け部１２０は吸盤本体１１０の軸心と直交する方向Ｘに所定の長さを有するブロックからなり、線状体取り付け部１２０の表面には、ワイヤー１３０（図２参照）を嵌め込むことが可能な断面形状がＵ字形の溝１４０が形成されている。
【００３１】
溝１４０は方向Ｘにライン状に延びている。
【００３２】
図２は、溝１４０にワイヤー１３０を嵌め込んだ状態を示す縦断面図である。
【００３３】
本実施形態に係る吸盤装置１００は次のようにして使用される。
【００３４】
例えば、図７と同様に、垂直壁に吸盤本体１１０を固定的に吸着させる。
【００３５】
次いで、溝１４０にワイヤー１３０を嵌め込む。溝１４０は方向Ｘにある程度の長さを有しているため、ワイヤー１３０は溝１４０の内部に固定される。
【００３６】
このように、本実施形態に係る吸盤装置１００によれば、ワイヤー１３０その他の線状体を静止状態に維持した状態で取り付けることが可能である。
【００３７】
（第二の実施形態）
図３は本考案の第二の実施形態に係る吸盤装置２００の部分的な斜視図である。
【００３８】
本実施形態に係る吸盤装置２００は、第一の実施形態に係る吸盤装置１００と比較して、溝１４０に嵌め込まれたワイヤー１３０が溝１４０から外れることを防止するストッパー２１０を備えている。
【００３９】
ストッパー２１０は、溝１４０の近辺において線状体取り付け部１２０の表面に取り付けられた回動軸２１１と、回動軸２１１に取り付けられたフック２１２と、から構成されている。
【００４０】
回動軸２１１はその軸心の周りに回転することが可能であるように、線状体取り付け部１２０に取り付けられている。
【００４１】
フック２１２は回動軸２１１に対して鉛直面内において回動可能であるように回動軸２１１に対して取り付けられている。さらに、フック２１２の先端（自由端）はＪ字形に屈曲している。
【００４２】
溝１４０を挟んで、回動軸２１１と対向する位置において、線状体取り付け部１２０にはフック２１２の先端が嵌合可能な孔２２０が形成されている。
【００４３】
ワイヤー１３０を溝１４０に嵌め込む前の段階においては、フック２１２は溝１４０と平行な位置（図３の破線で示す位置）に待機させておく。
【００４４】
ワイヤー１３０を溝１４０に嵌め込んだ後、回動軸２１１を９０度回転させ、フック２１２の先端を孔２２０に嵌め込む（図３の実線で示す状態）。
【００４５】
これにより、ワイヤー１３０が溝１４０から外れることを防止することができる。
【００４６】
ワイヤー１３０を溝１４０から外す場合には、フック２１２を鉛直面内において回動させ、孔２２０から外した後、回動軸２１１を９０度回転させ、フック２１２を当初の位置（図３の破線で示す位置）に戻す。
【００４７】
このように、本実施形態に係る吸盤装置２００によれば、ストッパー２１０を設けたことにより、溝１４０に嵌め込まれたワイヤー１３０が溝１４０から外れることを防止することができる。
【００４８】
なお、本実施形態において示したストッパー２１０の構造は一例にすぎず、他の構造を採用することも可能である。
【００４９】
（第三の実施形態）
図４は本考案の第三の実施形態に係る線状体取り付け具３００の斜視図である。
【００５０】
本実施形態に係る線状体取り付け具３００は、第一の実施形態における線状体取り付け部１２０を単体として形成したものである。このため、線状体取り付け具３００は吸盤本体１１０の外面に取り付け可能な形状を有している。
【００５１】
さらに、線状体取り付け具３００には二つの貫通孔３１０が形成されている。吸盤本体１１０には、二つの貫通孔３１０に対応する位置に二つのネジ孔が形成されており、線状体取り付け具３００の貫通孔３１０に雄ネジを通し、吸盤本体１１０のネジ孔にその雄ネジを螺合させることにより、線状体取り付け具３００を吸盤本体１１０に対して固定的に取り付けることができる。また、雄ネジを外すことにより、線状体取り付け具３００を吸盤本体１１０から取り外すことができる。
【００５２】
このように、本実施形態に係る線状体取り付け具３００によれば、第一の実施形態に係る吸盤装置１００とは異なり、吸盤本体１１０に対して線状体取り付け部１２０を一体的に形成する必要はなく、吸盤本体１１０と線状体取り付け具３００とを別部品としてそれぞれ作製した後、線状体取り付け具３００を吸盤本体１１０に対して取り外し可能に取り付けることが可能である。
【００５３】
このため、既存の吸盤本体１１０（あるいは、図５に示した従来の吸盤装置１）の表面にネジ孔を形成することのみによって、線状体取り付け具３００を後付けすることが可能である。
【００５４】
本実施形態に係る線状体取り付け具３００においても、第二の実施形態において示したストッパー２１０を採用することが可能である。
【００５５】
また、線状体取り付け具３００を吸盤本体１１０に対して取り外し可能に取り付ける手段は、本実施形態において示した貫通孔３１０とネジとの組み合わせには限定されない。他の手段を選択することも可能である。例えば、線状体取り付け具３００を磁石を介して吸盤本体１１０に取り付けることも可能であるし、あるいは、両面粘着テープを介して線状体取り付け具３００を吸盤本体１１０に取り付けることも可能である。
【符号の説明】
【００５６】
１００  本考案の第一の実施形態に係る吸盤装置
１１０  吸盤本体
１２０  線状体取り付け部
１３０  ワイヤー
１４０  溝
２００  本考案の第二の実施形態に係る吸盤装置
２１０  ストッパー
３００  本考案の第三の実施形態に係る線状体取り付け具
３１０  貫通孔
【図１】
0003185107.tif 000003
【図２】
0003185107.tif 000004
【図３】
0003185107.tif 000005
【図４】
0003185107.tif 000006
【図５】
0003185107.tif 000007
【図６】
0003185107.tif 000008
【図７】
0003185107.tif 000009